(57)【要約】【課題】騒音防止効果が図れるとともに、程よいクッション性を有する二重床を簡単に施工できる支持脚構造を提供する。【解決手段】台座４に立設され高さの調節が可能とされた脚部３と、該脚部３の上端に固定された支持部２と、該支持部２に防振部１を介して支持される床受け部５と、からなる支持脚構造であって、上記支持部２には、その両端に立上がりリブ２１、２２が設けられるとともに、上記防振部１は、上下両面に複数の凸条部１４、１５が延設された主体部１３と、該主体部１３の左右に連設された垂下端部１１、１２とからなり、上記立上がりリブ２１、２２が、上記防振部１の左右垂下端部１１、１２と、その直近の下向き凸条部１５１、１５２の間に嵌挿される。【選択図】図１
2004270315.tif 000002
【特許請求の範囲】
【請求項１】
台座に立設され高さの調節が可能とされた脚部と、該脚部の上端に固定された支持部と、該支持部に防振部を介して支持される床受け部と、からなる支持脚構造であって、上記支持部には、その両端に立上がりリブが設けられるとともに、上記防振部は、上下両面に複数の凸条部が延設された主体部と、該主体部の左右に連設された垂下端部とからなり、上記立上がりリブが、上記防振部の左右垂下端部と、その直近の下向き凸条部の間に嵌挿されることを特徴とする二重床の支持脚構造。
【請求項２】
上記防振部の左右垂下端部が上記支持部を抱持するように内方に延出した係止片を有する請求項１に記載の二重床の支持脚構造。
【請求項３】
上記床受け部が木質系材料からなる請求項１に記載の二重床の支持脚構造。
【請求項４】
上記防振部が弾性材料からなる請求項１に記載の二重床の支持脚構造。
【請求項５】
上記脚部は、上部脚部と下部脚部から構成されるとともに、両脚部の螺合の程度を調節することによって、高さの調節が可能とされた請求項１に記載の二重床の支持脚構造。
【発明の詳細な説明】
【０００１】
【発明の属する技術分野】
本発明は、二重床の支持脚構造に関する。さらに詳しくは、床下地板と床スラブとの間に介装され、床下空間を確保するための支持脚構造に関する。
【０００２】
【従来の技術】
従来、集合住宅等のコンクリート建物等において、床面に物を落とした場合等、階下への騒音防止を図るため、あるいは、床と床スラブとの間にパソコン等の配線用の床下空間を設けるために、二重床構造とすることが行われている。この場合、一般的には、床スラブの上方に離間して位置する床を支持脚で支えて床下空間を確保している。上記支持脚の構造としては、種々の技術が公知である（例えば、特許文献１、２、３参照。）。
【０００３】
【特許文献１】
特開平９−１７７２８９号公報（第１−３頁、第１図、第２図）
【特許文献２】
特開２００２−１０６１５７号公報（第１−３頁、第６図）
【特許文献３】
特開平６−３４６５７８号公報（第１−４頁、第１図）
【０００４】
【発明が解決しようとする課題】
しかしながら、上記いずれの技術も支持脚の構造が複雑であるため、床下地材と床スラブとの間に、簡単に介装され、作業性よく、床下空間を確保できるものとはいえない。そこで、本発明は、衝撃音の吸収性に優れる等、騒音防止効果が図れるとともに、程よいクッション性を有する二重床を簡単に施工することのできる支持脚を提供することを、その課題とする。
【０００５】
【課題を解決するための手段】
本発明は、上記課題を解決するために、つぎのような技術的手段を講じている。すなわち、本発明によれば、台座に立設され高さの調節が可能とされた脚部と、該脚部の上端に固定された支持部と、該支持部に防振部を介して支持される床受け部と、からなる支持脚構造であって、上記支持部には、その両端に立上がりリブが設けられるとともに、上記防振部は、上下両面に複数の凸条部が延設された主体部と、該主体部の左右に連設された垂下端部とからなり、上記立上がりリブが、上記防振部の左右垂下端部と、その直近の下向き凸条部の間に嵌挿されることを特徴とする二重床の支持脚構造が提供される。このように構成された支持脚構造を、床下地材と床スラブとの間に介装することによって、簡単に、作業性よく、床下空間を確保することができる
【０００６】
上記防振部の左右垂下端部が上記支持部を抱持するように内方に延出した係止片を有することが好ましい。このようにすることによって、上記支持部が、上記内方に延出した係止片によってしっかりと係止され、衝撃や振動等が発生した場合でも、防振部が支持部からずれたり、抜け落ちることを防ぐ。
【０００７】
上記床受け部が木質系材料から構成されることが好ましい。このようにすることによって、上記床受け材と、それに載置された床下地板とを、釘、ビス等の固定手段によって、しっかりと固定することができる。
【０００８】
上記防振部が弾性材料から構成されることが好ましい。例えば、弾性変形可能なゴム材等を用いて防振部を構成することにより、振動、衝撃等が吸収されるとともに、優れたクッション性を与える。
【０００９】
上記脚部は、上部脚部と下部脚部とから構成されるとともに、両脚部の螺合の程度を調節することによって、高さの調節が可能とされることが好ましい。このようにすることによって、床下地板と、床スラブとの間を最適に保つことができるため、重量が掛かったときに、床が撓んだり、凹むことを防げる。
【００１０】
【発明の実施の形態】
以下、本発明の好ましい実施の形態について、図面を参照して、詳細に説明する。図１は、本発明の二重床の支持脚構造を示す分解斜視図であり、図２は、部分側断面図である。図１、図２において、支持脚構造Ａは、台座４に立設され高さの調節が可能とされた脚部３と、該脚部３の上端に固定された支持部２と、該支持部２に防振部１を介して支持される床受け部５とから構成される。上記脚部３は、上部脚部３１と下部脚部３２とからなり、両脚部３１、３２の螺合の程度を調節し、脚部３を伸縮させる伸縮機構６によって、高さの調節ができるようにされている。
【００１１】
図１、図２に、よく示されているように、上記支持部２の左右両端には、立上がりリブ部２１、２２が設けられ、また、防振部１は、主体部１３と、その左右に連設された垂下端部１１、１２とからなり、主体部１３の上面に複数の上向き凸条部１４が、下面には複数の下向き凸条部１５が延設されている。図１、図２に示す形態においては、主体部１３の中央部の上下両面に設けられた上向き凸条部１４、下向き凸条部１５は、クッション性をよくするための空間を形成するものである。
【００１２】
図２からよくわかるように、上記支持部２の両端に設けられた立上がりリブ２１、２２は、上記防振部１の左右垂下端部１１と１２とその直近の下向き凸条部１５１、１５２との間の空間に嵌挿される。すなわち、立上がりリブ部２１は、左垂下端部１１とその直近の下向き凸条部１５１との間に、また、立上がりリブ部２２は、右垂下端部１２とその直近の下向き凸条部１５２との間に嵌挿され。このようにして、防振部１は、支持部２によってずれたり、外れることなくしっかりと支えられる。
【００１３】
図３は、上記防振部１の左右垂下端部１１、１２が内方に延出した係止片１６、１７を有する他の実施形態にかかる支持脚構造Ｂを示す。このようにすることによって、下向き凸条部１５１、１５２、防振部１の左右垂下端部１１、１２および上記係止片１６、１７が支持部２の左右立上がりリブ２１、２２を抱持するように係止するため、衝撃や振動等が発生した場合でも、防振部１は、支持部２から外れたり、抜け落ちることなく、しっかりと支持される。
【００１４】
図４は、図２に示す形態の支持脚構造Ａを、床材９を施工した床下地材７と、床スラブ８との間に介装した状態を示す部分側断面図である。図４において、床受け部５は木質系材料から構成されているため、上記床受け部５と、その上に載置された床下地材７とを、釘、ビス等の固定手段によりしっかりと固定することができる。また、床受け部５と、弾性材料から構成された防振部１も公知の固定手段、例えば、接着剤による接着、粘着剤による粘着等の手段により固定されているため、上記床受け部５は、防振部１を介して、支持部２によってしっかりと支持される。かくして、床下地材７と、床スラブ８との間に、本発明にかかる支持脚構造を介装すれば、簡単に、作業性よく、床下空間を確保することができる
【００１５】
【発明の効果】
以上述べたように、請求項１に記載の発明は、台座４に立設され高さの調節が可能とされた脚部３と、該脚部３の上端に固定された支持部２と、該支持部２に防振部１を介して支持される床受け部５と、からなる支持脚構造であって、上記支持部２には、その両端に立上がりリブ２１、２２が設けられるとともに、上記防振部１は、上下両面に複数の凸条部１４、１５が延設された主体部１３と、該主体部の左右に連設された垂下端部１１、１２とからなり、上記立上がりリブ２１、２２が、上記防振部１の左右垂下端部１１、１２と、その直近の下向き凸条部１５１、１５２との間に嵌挿されることを特徴とする二重床の支持脚構造である。このように構成された支持脚構造を、床下地材７と、床スラブ８との間に介装することによって、簡単に、作業性よく、床下空間を確保することができる。
【００１６】
請求項２に記載の発明は、上記防振部１の左右垂下端部１１、１２が上記支持部２を抱持するように内方に延出した係止片１６、１７を有する。このようにすることによって、請求項１に記載の発明の効果に加えて、上記支持部２が、上記内方に延出した係止片１６、１７によってしっかりと係止され、衝撃や振動等が発生した場合でも、防振部１が支持部２からずれたり、抜け落ちたりすることを防ぐ。
【００１７】
請求項３に記載の発明は、上記床受け部５が木質系材料から構成される。このようにすることによって、請求項１に記載の発明の効果に加えて、上記床受け部５と、それに載置された床下地板７とを、釘、ビス等の固定手段によって、しっかりと固定することができる。
【００１８】
請求項４に記載の発明は、上記防振部１が弾性材料から構成される。例えば、弾性変形可能なゴム材等を用いて防振部を構成することにより、請求項１に記載の発明の効果に加えて、振動、衝撃等が吸収されるとともに、優れたクッション性を与える。
【００１９】
請求項５に記載の発明は、上記脚部３が、上部脚部３１と下部脚部３２とから構成されるとともに、両脚部３１、３２の螺合の程度を調節することによって、高さの調節が可能とされる。このようにすることによって、請求項１に記載の発明の効果に加えて、床下地板７と、床スラブ８との間を最適に保つことができるため、重量が掛かったときに、床が撓んだり、凹むことが防げる。
【図面の簡単な説明】
【図１】本発明の一実施形態にかかる支持脚構造を示す分解斜視図である。
【図２】本発明の一実施形態にかかる支持脚構造を示す部分側断面図である。
【図３】本発明の他の実施形態にかかる支持脚構造を示す部分側断面図である。
【図４】本発明にかかる支持脚構造を床下地材と床スラブとの間に介装した状態を示す部分側断面図である。
【符号の説明】
Ａ          本発明の一実施形態にかかる支持脚構造
Ｂ          本発明の他の実施形態にかかる支持脚構造
１          防振部
１１        左垂下端部
１２        右垂下端部
１３        主体部
１４        上向き凸条部
１５        下向き凸条部
１５１      左垂下端部に直近の下向き凸条部
１５２      右垂下端部に直近の下向き凸条部
１６        左係止片
１７        右係止片
２          支持部
２１        左立上がりリブ
２２        右立上がりリブ
３          脚部
３１        上部脚部
３２        下部脚部
４          台座
５          床受け部
６          伸縮機構
７          床下地板
８          床スラブ
９          床材
【図１】
2004270315.tif 000003
【図２】
2004270315.tif 000004
【図３】
2004270315.tif 000005
【図４】
2004270315.tif 000006